(57)【要約】【課題】緩衝材が割れた場合でも緩衝材の割れた部分のずれが抑えられる梱包材を提供する。【解決手段】梱包材１００において、被梱包物３００の互いに異なる向きに広がる３つの面にあてがわれ、被梱包物とともに梱包箱に収納されたときに被梱包物の３つの面と梱包箱の３つの内壁との間に配置され、梱包箱の３つの内壁それぞれに向けて外向きに突出しそれぞれが梱包箱の３つの内壁に接する、３つの突起部Ｐを有する複数の緩衝材１１〜１８、および、被梱包物の少なくとも一部を覆い、該被梱包物の異なる３面にあてがわれた複数の緩衝材を保持する補助シート２０であって、緩衝材を保持した状態で、緩衝材の３つの突起Ｐが入り込む３つの開口Ｈと、３つの開口それぞれの間に設けられた複数の折り曲げ部とを有する補助シート２０を備えたことを特徴とする。【選択図】        図１
2011051645.tif 000002
【特許請求の範囲】
【請求項１】
被梱包物の互いに異なる向きに広がる３つの面にあてがわれ、該被梱包物とともに梱包箱に収納されたときに該被梱包物の３つの面と該梱包箱の３つの内壁との間に配置され、前記梱包箱の３つの内壁それぞれに向けて外向きに突出しそれぞれが前記梱包箱の３つの内壁に接する、３つの突起部を有する複数の緩衝材、および、
前記被梱包物の少なくとも一部を覆い、該被梱包物の異なる３面にあてがわれた複数の緩衝材を保持する覆い部材であって、
前記緩衝材を保持した状態で、前記緩衝材の３つの突起が入り込む３つの開口と、前記３つの開口それぞれの間に設けられた複数の折り曲げ部とを有する覆い部材を備えたことを特徴とする梱包材。
【請求項２】
前記被梱包物は、上面、４つの側面、及び、底面を有し、
前記覆い部材は、前記被梱包物の底面に沿って広がる底板部と、該底板部からそれぞれ折れ曲がり互いに反対側の２つの側面に沿って広がる側板部とからなる本体板と、該本体板から折り曲げられた複数の折曲げ片とを有し、
前記複数の緩衝材のうち底面にあてがわれた緩衝材は、前記覆い部材の底板部、側板部、および、側面側に折り曲げられた折曲げ片によって保持され、
前記複数の緩衝材のうち上面にあてがわれた緩衝材は、前記覆い部材の側板部、および、側面側に折り曲げられた折曲げ片、及び、上面側に折り曲げられた折り曲げ部によって保持されることを特徴とする請求項１記載の梱包材。
【請求項３】
前記複数の緩衝材のうち底面にあてがわれた緩衝材と上面にあてがわれた緩衝材とは、別々に前記覆い部材に対して着脱可能に保持されることを特徴とする請求項１記載の梱包材。
【請求項４】
前記複数の突起部のそれぞれが、頂部に向かって先細りの形状を有するものであることを特徴とする請求項１から３いずれか１項に記載の梱包材。
【請求項５】
前記覆い部材に設けられた各開口が、該開口に入り込む突起部の根元の寸法よりも小さい寸法を有し、前記補助シートには、該開口に繋がった切り込みが形成されていることを特徴とする請求項１から４いずれか１項に記載の梱包材。
【請求項６】
前記覆い部材が、前記被梱包物の前記２つの側板部それぞれの、前記底板部から離れた側の縁から広がり該被梱包材の上面に折り曲げられた一対の把手を有するものであることを特徴とする請求項２から５いずれか１項に記載の梱包材。
【発明の詳細な説明】
【技術分野】
【０００１】
本発明は、梱包材に関する。
【背景技術】
【０００２】
梱包箱に収納する製品等の梱包材として、製品の左右または前後に取り付けられ製品を保護する緩衝材と、緩衝材を外側から挟むコ字状の梱包補助シートであって、緩衝材の溝に入り込む幅に形成された梱包補助シートとを備えた梱包材が知られている（例えば、特許文献１及び２参照。）。また、緩衝材の使用量を少なくするため、緩衝材を被梱包物の各角部に分割して使用するコーナーパッド方式の梱包材が知られている（例えば、特許文献２参照。）。
【先行技術文献】
【特許文献】
【０００３】
【特許文献１】特開２０００−２８９７７７号公報
【特許文献２】特開２００１−９７３６５号公報
【発明の概要】
【発明が解決しようとする課題】
【０００４】
本発明は、緩衝材が割れた場合でも割れた部分のずれが抑えられる梱包材を提供することを目的とするものである。
【課題を解決するための手段】
【０００５】
請求項１に係る梱包材は、
被梱包物の互いに異なる向きに広がる３つの面にあてがわれ、この被梱包物とともに梱包箱に収納されたときにこの被梱包物の３つの面とこの梱包箱の３つの内壁との間に配置され、上記梱包箱の３つの内壁それぞれに向けて外向きに突出しそれぞれが上記梱包箱の３つの内壁に接する、３つの突起部を有する複数の緩衝材、および、
上記被梱包物の少なくとも一部を覆い、この被梱包物の異なる３面にあてがわれた複数の緩衝材を保持する覆い部材であって、
上記緩衝材を保持した状態で、上記緩衝材の３つの突起が入り込む３つの開口と、上記３つの開口それぞれの間に設けられた複数の折り曲げ部とを有する覆い部材を備えたことを特徴とする。
【０００６】
請求項２に係る梱包材は、
上記被梱包物が、上面、４つの側面、及び、底面を有し、
上記覆い部材は、上記被梱包物の底面に沿って広がる底板部と、この底板部からそれぞれ折れ曲がり互いに反対側の２つの側面に沿って広がる側板部とからなる本体板と、この本体板から折り曲げられた複数の折曲げ片とを有し、
上記複数の緩衝材のうち底面にあてがわれた緩衝材は、上記覆い部材の底板部、側板部、および、側面側に折り曲げられた折曲げ片によって保持され、
上記複数の緩衝材のうち上面にあてがわれた緩衝材は、上記覆い部材の側板部、および、側面側に折り曲げられた折曲げ片、及び、上面側に折り曲げられた折り曲げ部によって保持されることを特徴とする。
【０００７】
請求項３に係る梱包材は、上記複数の緩衝材のうち底面にあてがわれた緩衝材と上面にあてがわれた緩衝材とが、別々に上記覆い部材に対して着脱可能に保持されることを特徴とする。
【０００８】
請求項４に係る梱包材は、上記複数の突起部のそれぞれが、頂部に向かって先細りの形状を有するものであることを特徴とする。
【０００９】
請求項５に係る梱包材は、上記覆い部材に設けられた各開口が、この開口に入り込む突起部の根元の寸法よりも小さい寸法を有し、上記覆い部材には、この開口に繋がった切り込みが形成されていることを特徴とする。
【００１０】
請求項６に係る梱包材は、上記覆い部材が、上記被梱包物の上記２つの側板部それぞれの、上記底板部から離れた側の縁から広がりこの被梱包材の上面に折り曲げられた一対の把手を有するものであることを特徴とする。
【発明の効果】
【００１１】
請求項１に係る梱包材によれば、突起部が開口に入り込む覆い部材を有していない場合に比較して、突起部を有する緩衝材が割れた場合でも割れた部分のずれが抑えられる。
【００１２】
請求項２に係る梱包材によれば、覆い部材と被梱包物及び梱包箱とが接触した状態で梱包箱に覆い部材及び被梱包物を梱包した場合と比較して、覆い部材と被梱包物及び梱包箱とが接触することで発生する覆い部材の変形を低減することができる。
【００１３】
請求項３に係る梱包材によれば、覆い部材の側面に配置された緩衝材のうち上面側に配置された緩衝材と下面側に配置された緩衝材とを一体に構成した場合と比較して、下面に対応した覆い部材から下面側に配置された緩衝材を取り外すことなく被梱包物を取り外すことができ、被梱包物を緩衝材及び覆い部材から取り外す際に容易に取り外すことができる。
【００１４】
請求項４に係る梱包材によれば、突起部が先細りの形状を有しない場合に比較して覆い部材の折り曲げが円滑に行える。
【００１５】
請求項５に係る梱包材によれば、本構成を有しない場合に比較して緩衝材が覆い部材の固定状態が改善される。
【００１６】
請求項６に係る梱包材によれば、本構成を有しない場合に比較して梱包箱から被梱包物及び覆い部材を取り出す際に、覆い部材と梱包箱とが接触することを低減できる。
【図面の簡単な説明】
【００１７】
【図１】本発明の梱包材の第１実施形態を示す斜視図である。
【図２】図１に示す梱包材の組立て途中の状態を示す斜視図である。
【図３】図２に示す緩衝材を示す斜視図である。
【図４】図２に示す補助シートを示す図である。
【図５】図４に示す補助シートの折曲げ片部分を示す拡大図である。
【図６】梱包材の組立方法を説明する斜視図である。
【図７】補助シートの折り曲げに伴い突起が開口に入り込む様子を説明する断面図である。
【図８】本実施形態における梱包箱からのプリンタの取出しを説明する断面模式図である。
【図９】本発明の第２実施形態に係る緩衝材を示す斜視図である。
【図１０】本発明の第３実施形態に係る緩衝材を示す斜視図である。
【図１１】突起部の変形例を示す図である。
【図１２】第１実施形態の変形例を示す断面図である。
【発明を実施するための形態】
【００１８】
以下図面を参照して本発明の実施の形態を説明する。
【００１９】
図１は、本発明の梱包材の第１実施形態を示す斜視図である。
【００２０】
図１に示す梱包材１００は、電子機器製品といった被梱包物３００を梱包するためのものである。梱包材１００は、被梱包物３００を梱包した状態でこの被梱包物３００とともに梱包箱４００に収納される。梱包箱４００に収納された状態で、梱包材１００は、梱包箱４００における被梱包物３００の位置を固定するとともに、被梱包物３００を梱包箱４００外部からの衝撃から保護する。図１には、被梱包物３００の一例としてプリンタが示されている。本実施形態では、被梱包物３００としてプリンタ３００の例で説明する。
【００２１】
図２は、図１に示す梱包材の組立て途中の状態を示す斜視図である。
【００２２】
図２に示す被梱包物としてのプリンタ３００は底面、上面、および、底面と上面とを接続する４つの側面を有し、当該６面のうちの３面が交わる８つの角部３０１，３０２，３０３，３０４，３０５，３０６，３０８を有している。なお、図２には、プリンタ３００の６面の内、ユーザが操作する操作パネル（不図示）が配置された正面、上面、および左側面をなす３つの面３１１，３１２，３１３が示されている。
【００２３】
梱包材１００は、８つの緩衝材１１，１２，１３，１４，１５，１６，１７，１８と、補助シート２０とを有する。緩衝材１１〜１８は、プリンタ３００の角部３０１〜３０８それぞれにあてがわれ、梱包箱４００に収納された状態でプリンタ３００の角部３０１〜３０８とこの梱包箱４００（図１参照）の内壁との間に介在する。図２には、折り曲げられる前の状態の補助シート２０が示されているが、補助シート２０は、図１に示すように折り曲げられることによってプリンタ３００の底面および両側面を覆い、８つの緩衝材１１〜１８に跨って広がっている。ここで、補助シート２０が、本発明にいう覆い部材の一例に相当する。
【００２４】
図３は、図２に示す緩衝材を示す斜視図である。図３のパート（Ａ）〜パート（Ｃ）には、異なる３つの角度から見た緩衝材１１の斜視図が示されている。ただし、図２に示す８つの緩衝材１１〜１８（図２参照）はいずれも同じ構造を有している。
【００２５】
緩衝材１１は、３面の平板Ｆ１，Ｆ２，Ｆ３からなる平板部Ｆと、平板部を構成する３面の平板Ｆ１，Ｆ２，Ｆ３それぞれから突出した３つの突起部Ｐを有する。平板Ｆ１，Ｆ２，Ｆ３は、プリンタ３００の角部３０１〜３０８（図２参照）のそれぞれについて、角部３０１〜３０８を構成する３つの平面のそれぞれに接するように、互いに略直角をなして繋がっている。平板Ｆ１，Ｆ２，Ｆ３は、間に稜線Ｒを形成して互いに繋がっている。３つの突起部Ｐは、緩衝材１１がプリンタ３００の角部３０１〜３０８にあてがわれた状態で、プリンタ３００から見て、平板Ｆ１，Ｆ２，Ｆ３それぞれから外向きに突出している。それぞれの突起部Ｐは、頂部に向かって先細りの形状を有する。より詳細には、それぞれの突起部Ｐは角錐台形状である。緩衝材１１は、プリンタ３００よりも柔らかい材料で形成されており、例えば発泡スチロールで形成されている。平板部Ｆおよび３つの突起部Ｐは一体成型により形成されている。
【００２６】
図４は、図２に示す補助シートを示す図である。図４には、補助シート２０が折り曲げられる前の状態が示されている。
【００２７】
補助シート２０は、例えば段ボールといった板紙で形成されており、概略矩形状の本体板２１と、本体板２１の縁に繋がって広がる１２の折曲げ片２２とを有する。本体板２１は、プリンタ３００の底面に対向する底板部２１１と底板部２１１の両側に広がる側板部２１２，２１３とを有する。２つの側板部２１２，２１３それぞれの、底板部２１１から離れた側の縁には把手２１４，２１５が設けられている。また、折曲げ片２２のそれぞれと本体板２１には、緩衝材１１〜１８の突起部Ｐ（図３参照）が入り込む開口Ｈが形成されている。
【００２８】
図５は、図４に示す補助シートの折曲げ片部分を示す拡大図である。
【００２９】
本体板２１および折曲げ片２２に形成された開口Ｈは、この開口Ｈに入り込む突起部Ｐの根元の寸法よりも小さい寸法を有している。本実施形態における開口Ｈは正方形状に形成されており、縦横の寸法がともにｄ２である。この寸法ｄ２は、図３に示す緩衝材１１の突起部Ｐの根元の縦横の寸法ｄ１よりも小さい。また、補助シート２０には、開口Ｈのそれぞれに繋がった切り込みＳが形成されている。より詳細には、図５に示すように正方形状に形成された開口Ｈの四隅に４つの切り込みＳが形成されている。
【００３０】
図４に示す補助シート２０は、実際には、梱包材１００の組立時に図４に示す破線で略直角に折り曲げられて完成する。ここで、図４に破線で示す線に沿って折り曲げられた部分が本発明の折り曲げ部の一例に相当する。
【００３１】
ここで、梱包材１００の組立て、すなわちプリンタ３００の梱包について説明する。
【００３２】
梱包材１００を組み立てるには、まず、図２に示すように、補助シート２０の底板部２１１に４つの緩衝材１５〜１８を配置する。このとき、底板部２１１（図４参照）に設けられた開口Ｈ（図４）に、４つの緩衝材１５〜１８の突起部Ｐを差し込む。すでに説明したように、補助シート２０に形成された開口Ｈは、突起部Ｐの根元の寸法よりも小さい寸法を有しており、補助シート２０には、開口Ｈのそれぞれに繋がった切り込みＳが形成されているので、開口Ｈに突起部Ｐが根元部分まで入り込むと、開口Ｈの縁部分が捲れて、突起部Ｐの抜けが止められる。つまり、緩衝材１５〜１８が補助シート２０に対し接着剤なしに確実に固定される。この確実な固定は、以降説明する他の突起部Ｐと開口Ｈについても同様である。
【００３３】
次に、プリンタ３００を４つの緩衝材１５〜１８の上に載せ、緩衝材１５〜１８を、プリンタ３００の底面の４つの角部３０５〜３０８にあてがう。そして、残り４つの緩衝材１１〜１４をプリンタ３００の上面の４つの角部３０１〜３０４にあてがう。このとき、８つの緩衝材１１〜１８は、緩衝材１１〜１８それぞれの３面の平板Ｆ１，Ｆ２，Ｆ３が、プリンタ３００の角部３０１〜３０８それぞれを構成する３つの平面それぞれに接する姿勢であてがわれる。
【００３４】
図６は、梱包材の組立方法を説明する斜視図である。
【００３５】
次に、補助シート２０を図４で示した破線に沿って、図６に示すように折り曲げる。折り曲げでは、まず、補助シート２０の、底板部２１１（図４参照）の両側に広がる側板部２１２，２１３を折り曲げ、側板部２１２，２１３に設けられた開口Ｈにプリンタ３００の側面側に配置された突起部Ｐを入り込ませる。この折り曲げによって、側板部２１２，２１３がプリンタ３００の両側面に沿うこととなる。次に、側板部２１２から横に広がる４つの折曲げ片２２を折り曲げ、折曲げ片２２に設けられた開口Ｈに突起部Ｐを入り込ませる。この折り曲げによって、折曲げ片２２が、プリンタ３００の上記両側面、上面、および底面を除く面、すなわち、プリンタ３００の正面、および背面に沿うこととなる。
【００３６】
次に、補助シート２０の側板部２１３の上面側に配置された４つの折曲げ片２２を折り曲げ、折曲げ片２２に設けられた開口Ｈにプリンタ３００の上面側に配置された突起部Ｐを入り込ませる。図７は、補助シートの折り曲げに伴い突起が開口に入り込む様子を説明する断面図である。図７には、補助シート２０の側板部２１３の上面側に配置された４つの折曲げ片２２が、プリンタ３００の上面３１２に向かって折り曲げられる途中の様子が示されている。
【００３７】
図７に示す状態では、側板部２１３に設けられた開口Ｈには、緩衝材１１の３つの突起部Ｐのうちの一つが入り込んでいる。折曲げ片２２は、折り曲げられるとき、緩衝材１１の稜線Ｒを中心として回転する。ここで、突起部Ｐは、頂部に向かって先細りの形状を有しているため、折曲げ片２２は、折曲げ片２２の縁が突起部Ｐの頂部と干渉することなく、開口Ｈに突起部Ｐが根元まで入り込む位置まで折り曲げられる。
【００３８】
図６に示すように、すべての折曲げ片２２が折り曲げられると、開口Ｈ（図４参照）それぞれの間に折り曲げ部分が形成されることとなる。また、すべての折曲げ片２２が折り曲げられた状態で、プリンタ３００の上面にあてがわれた４つの緩衝材１１〜１４は、補助シート２０のうち、底板部２１１（図４参照）、側板部２１２，２１３および側面側に折り曲げられた折り曲げ片２２によって保持されている。また、プリンタ３００の底面にあてがわれた４つの緩衝材１５〜１８は、補助シート２０のうち、側板部２１２，２１３と、側面側および上面側に折り曲げられた折り曲げ片２２とによって保持されている。
【００３９】
すべての折曲げ片２２が折り曲げられた梱包材１００は、次に、プリンタ３００とともに梱包箱４００の中に収納される。梱包材１００が梱包箱４００の中に収納され、梱包箱４００の蓋が閉じられると、８つの緩衝材１１のすべての突起部Ｐが梱包箱内壁に接する。梱包材１００が梱包箱４００の中に収納される時には、作業者または作業機械が把手２１４，２１５を掴んで梱包材１００を運ぶ。把手２１４，２１５は、梱包材１００が梱包箱４００の中に入れられた後、梱包箱４００の蓋が閉じられる前に、プリンタ３００の上部に折り曲げられる。
【００４０】
梱包材１００は、プリンタ３００を梱包し梱包箱４００の中に収納した状態では、例えば、梱包箱４００自体の落下等により梱包箱４００外部から受ける外力からプリンタ３００を保護する。このとき、緩衝材１１〜１８には力が集中し、緩衝材１１自体が複数に割れる場合がある。特に、図３に示す緩衝材１１の稜線Ｒに各面からの力が集中し、緩衝材１１が稜線Ｒ部分で割れる場合がある。しかし、本実施形態の梱包材１００は、緩衝材１１〜１８のそれぞれについて、突起部Ｐのそれぞれが補助シート２０によって固定されているため、緩衝材１１〜１８が割れた場合でもその割れた部分が元の位置からずれない。したがって、緩衝材１１〜１８それぞれは、プリンタ３００の角部３０１〜３０８にあてがわれる形状が維持され、プリンタ３００の保護機能を損なわない。
【００４１】
また、補助シート２０は、緩衝材１１〜１８によって姿勢が維持されている。このため、補助シート２０は、梱包材１００およびプリンタ３００が梱包箱４００に収納された状態でも、梱包箱４００やプリンタ３００とは接触しない。したがって、補助シート２０の変形が、梱包箱やプリンタと接触する場合に比べ低減する。
【００４２】
図８は、本実施形態における梱包箱からのプリンタの取出しを説明する断面模式図である。
【００４３】
プリンタ３００を梱包箱４００から取り出す場合には、作業者すなわちユーザが梱包箱４００の蓋を開け、両手で把手２１４，２１５を掴み、プリンタ３００を梱包材１００ごと持ち上げる。このとき、梱包材１００の両側板部２１２，２１３には、上向きの力に加えて互いに近づく向きの力が掛かる。つまり、緩衝材１１〜１８には、梱包箱４００の内壁面から離れて内側、すなわちプリンタ３００側に押し当たる向きの力が掛かる。このため、取出し時には、プリンタ３００が緩衝材１１〜１８によってより強い力で固定され、さらに、緩衝材１１〜１８と梱包箱４００内壁面との摩擦が軽減する。したがって、梱包箱からの出し入れが確実かつ容易である。また、補助シート２０は緩衝材１１〜１８によって保持されており、プリンタ３００の梱包箱４００からの取出時に、補助シート２０と梱包箱４００接触も避けられる。
【００４４】
また、作業者すなわちユーザが、プリンタ３００を梱包した梱包材１００を床や台の上に載せ、把手２１４，２１５を掴んだまま、把手２１４，２１５を互いに離れる向きに移動させると、両側板部２１２，２１３は途中で曲がり、上部４つの緩衝材１１〜１４を引き連れて左右両側に開く。つまり、プリンタ３００の全体が一気に現れる。したがって、梱包材１００からのプリンタ３００の取り出し作業が簡潔である。
【００４５】
上述した第１実施形態では、独立した８つの緩衝材がプリンタ３００の８つの角部それぞれにあてがわれる例を説明したが、緩衝材のいくつかは、まとめて一体成型されたものであってもよい。ここで、緩衝材のいくつかがまとめて一体成型された第２実施形態および第３実施形態を説明する。
【００４６】
図９は、本発明の第２実施形態に係る緩衝材を示す斜視図である。
【００４７】
第２実施形態の梱包材は、緩衝材の形状が第１実施形態とは異なり、補助シート２０（図２）は第１実施形態と同じであるため、図９では補助シートの図示を省略している。
【００４８】
図９に示す２つの緩衝材５０１，５０２は、上述した第１実施形態における左４つの角に対応する部分５０１と右４つの角に対応する部分５０２がそれぞれ一体成型されたものである。緩衝材５０１，５０２のそれぞれは、プリンタ３００における互いに反対側の２つの側面の４隅に位置する４つの角部にあてがわれる。緩衝材５０１は角部３０１，３０４，３０５，３０８にあてがわれ、緩衝材５０２は角部３０２，３０３，３０６，３０７にあてがわれる。なお、角部のうち符号３０７，３０８で示す角部は隠れており図示されていない。
【００４９】
図１０は、本発明の第３実施形態に係る緩衝材を示す斜視図である。
【００５０】
第３実施形態の梱包材は、第２実施形態と同様に緩衝材の形状が第１実施形態とは異なり、補助シート２０（図２）は第１実施形態と同じであるため、図１０では補助シートの図示を省略している。
【００５１】
図１０に示す緩衝材６０１，６０２は、上述した第１実施形態における上４つの角に対応する部分６０１と下４つの角に対応する部分６０２がそれぞれ一体成型されたものである。緩衝材６０１，６０２のそれぞれは、プリンタ３００における互いに反対側の底面と上面の４隅に位置する４つの角部にあてがわれる。ここでプリンタ３００の底面と上面は、本発明にいう被梱包物の側面の一例に相当する。緩衝材６０１は角部３０１，３０２，３０３，３０４にあてがわれ、緩衝材６０２は角部３０５，３０６，３０７，３０８にあてがわれる。なお、角部のうち符号３０３，３０７で示す角部は隠れており図示されていない。
【００５２】
図９に示す緩衝材５０１，５０２と補助シート２０（図２）とを備えた第２実施形態の梱包材、および、図１０に示す緩衝材６０１，６０２と補助シート２０（図２）とを備えた第３実施形態の梱包材もまた、緩衝材が割れた場合に、その割れた部分がずれない。
【００５３】
ただし、図２に示した第１実施形態の梱包材は、プリンタ３００の８つの角部３０１〜３０８それぞれにあてがわれる８つの緩衝材１１〜１８が互いに分離しているので、図８に示す第２実施形態の梱包材や図９に示す第３実施形態の梱包材に比べ、緩衝材の製造に必要とされる材料の量が少ない。
【００５４】
また、図２に示した第１実施形態の梱包材は、プリンタ３００の上面にあてがわれた緩衝材１１〜１４が、下面にあてがわれた緩衝材１５〜１８とは別々に、補助シート２０に対して着脱自在に構成されている。このため、第２実施形態の梱包材とは異なり、ユーザが梱包箱からプリンタ３００および梱包材１００を取り出した後、下面にあてがわれた緩衝材１５〜１８を補助シート２０から取り外すことなく、上面にあてがわれた緩衝材１１〜１４のみをプリンタ３００から取り外すだけで、プリンタ３００が取り出される。
【００５５】
なお、上述した実施形態では、本発明にいう突起部の例として、角錐台形状の突起部Ｐを示したが、本発明にいう突起部は、これに限られるものではない。例えば、図１１に示すように突起部Ｐ’は、頂部の縁が面取りされた形状のものであってもよい。
【００５６】
また、上述した実施形態では、本発明にいう被梱包物の例として、６つの面と８つの角部を有するプリンタを示したが、本発明はこれに限られるものではなく、本発明の対象となる被梱包物は、例えば７つ以上の面を有するものであってもよく、５つ以下の面を有するものであってもよい。また、本発明の緩衝材は、例えば、被梱包物の形状に合せた形状に変形されたものであってよい。
【００５７】
図１２は、上述した第１実施形態の変形例を示す断面図である。図１２には、プリンタ７００の正面から背面にかけて広がる縦断面が示されている。また、図には、プリンタ７００の上面７１２に取り付けられた緩衝材８１１，８１４のみ示し、底面７１４に取り付けられた緩衝材や補助シートは省略されている。
【００５８】
図１２に示すプリンタ７００は、正面７１１及び背面７１３を含む４つの側面、上面７１２、並びに底面７１４を有しているが、さらに、上面７１２と正面７１１と間には、角が面取りされた斜面７１５が形成されており、この斜面７１５には、プリンタ７００の各種情報を表示するとともにユーザの操作を受付ける操作パネルＵＩが設けられている。また、プリンタ７００は、背面側上部が切り欠かれた形状を有しており、上面７１２と背面７１３との間に２つの切欠き面７１６，７１７を有している。図１２に示すプリンタ７００の筐体は、上面７１２、底面７１４および４つの側面に、斜面７１５および切り欠き面７１６，７１７を加えた９面を有する形状である。
【００５９】
図１２に示す緩衝材８１１，８１４のうちの正面７１１側の緩衝材８１１は、上面７１２、正面７１１および左側面（図示しない）の３つの面にあてがわれているが、操作パネルＵＩが設けられた斜面７１５を避けて、斜面７１５の両側に広がる上面７１２および正面７１１にあてがわれている。また、背面７１３側の緩衝材８１４は、上面７１２、背面７１３および左側面（図示しない）の３つの面にあてがわれているが、緩衝材８１４は、さらに切り欠き面７１６，７１７の形状に相応した突起が設けられており、切り欠き面７１６，７１７にもあてがわれている。
【００６０】
図１２に示す緩衝材８１１，８１４を備えた変形例の梱包材も、緩衝材８１１，８１４が割れた場合にその割れた部分が元の位置からずれない。
【００６１】
また、上述した実施形態では、本発明にいう被梱包物の例として、プリンタを示したが、本発明はこれに限られるものではなく、被梱包物は、例えば、複写機、スキャナ、ファクシミリ装置であってもよく、また電気機器に限らず機械装置や、部品、個包装された化学品や食品であってもよい。
【符号の説明】
【００６２】
１１〜１８，５０１，５０２，６０１，６０２，８１１，８１４    緩衝材
２０    補助シート
２１    本体板
２２    折曲げ片
１００    梱包材
２１１    底板部
２１２，２１３    側板部
２１４，２１５    把手
３００，７００    被梱包物
４００    梱包箱
Ｆ    平板部
Ｐ    突起部
Ｈ    開口
【図１】
2011051645.tif 000003
【図２】
2011051645.tif 000004
【図３】
2011051645.tif 000005
【図４】
2011051645.tif 000006
【図５】
2011051645.tif 000007
【図６】
2011051645.tif 000008
【図７】
2011051645.tif 000009
【図８】
2011051645.tif 000010
【図９】
2011051645.tif 000011
【図１０】
2011051645.tif 000012
【図１１】
2011051645.tif 000013
【図１２】
2011051645.tif 000014
【手続補正書】
【提出日】平成22年6月25日(2010.6.25)
【手続補正１】
【補正対象書類名】明細書
【補正対象項目名】０００５
【補正方法】変更
【補正の内容】
【０００５】
請求項１に係る梱包材は、
上面、４つの側面、及び、底面を有する被梱包物の互いに異なる向きに広がる３つの面にあてがわれ、この被梱包物とともに梱包箱に収納されたときにこの被梱包物の３つの面とこの梱包箱の３つの内壁との間に配置され、上記梱包箱の３つの内壁それぞれに向けて外向きに突出しそれぞれが上記梱包箱の３つの内壁に接する、３つの突起部を有する複数の緩衝材、および、
上記被梱包物の底面に沿って広がる底板部と、この底板部からそれぞれ折れ曲がり互いに反対側の２つの側面に沿って広がる側板部とからなる本体板と、この本体板から折り曲げられた複数の折曲げ片とを有し、この被梱包物の異なる３面にあてがわれた複数の緩衝材を保持する覆い部材であって、上記緩衝材を保持した状態で、上記緩衝材の３つの突起が入り込む３つの開口と、上記３つの開口それぞれの間に設けられた複数の折り曲げ部とを有する覆い部材を備え、
上記複数の緩衝材のうち底面にあてがわれた緩衝材は、上記開口のうち、上記覆い部材の底板部、側板部、および、側面側に折り曲げられた折曲げ片のそれぞれに形成された開口によって、この底板部、この側板部、およびこの折曲げ片のそれぞれに保持され、
上記複数の緩衝材のうち上面にあてがわれた緩衝材は、上記開口のうち、上記覆い部材の側板部、および、側面側に折り曲げられた折曲げ片、及び、上面側に折り曲げられた折曲げ片のそれぞれに形成された開口によって、この側板部、およびこの折曲げ片のそれぞれに保持されることを特徴とする。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
請求項２に係る梱包材は、上記複数の緩衝材のうち底面にあてがわれた緩衝材と上面にあてがわれた緩衝材とが、別々に上記覆い部材に対して着脱可能に保持されることを特徴とする。
【手続補正４】
【補正対象書類名】明細書
【補正対象項目名】０００８
【補正方法】変更
【補正の内容】
【０００８】
請求項３に係る梱包材は、上記複数の突起部のそれぞれが、頂部に向かって先細りの形状を有するものであることを特徴とする。
【手続補正５】
【補正対象書類名】明細書
【補正対象項目名】０００９
【補正方法】変更
【補正の内容】
【０００９】
請求項４に係る梱包材は、上記覆い部材に設けられた各開口が、この開口に入り込む突起部の根元の寸法よりも小さい寸法を有し、上記覆い部材には、この開口に繋がった切り込みが形成されていることを特徴とする。
【手続補正６】
【補正対象書類名】明細書
【補正対象項目名】００１０
【補正方法】変更
【補正の内容】
【００１０】
請求項５に係る梱包材は、上記覆い部材が、上記被梱包物の上記２つの側板部それぞれの、上記底板部から離れた側の縁から広がりこの被梱包材の上面に折り曲げられた一対の把手を有するものであることを特徴とする。
【手続補正７】
【補正対象書類名】明細書
【補正対象項目名】００１１
【補正方法】変更
【補正の内容】
【００１１】
請求項１に係る梱包材によれば、突起部が開口に入り込む覆い部材を有していない場合に比較して、突起部を有する緩衝材が割れた場合でも割れた部分のずれが抑えられ、また、覆い部材と被梱包物及び梱包箱とが接触した状態で梱包箱に覆い部材及び被梱包物を梱包した場合と比較して、覆い部材と被梱包物及び梱包箱とが接触することで発生する覆い部材の変形を低減することができる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項２に係る梱包材によれば、覆い部材の側面に配置された緩衝材のうち上面側に配置された緩衝材と下面側に配置された緩衝材とを一体に構成した場合と比較して、下面に対応した覆い部材から下面側に配置された緩衝材を取り外すことなく被梱包物を取り外すことができ、被梱包物を緩衝材及び覆い部材から取り外す際に容易に取り外すことができる。
【手続補正１０】
【補正対象書類名】明細書
【補正対象項目名】００１４
【補正方法】変更
【補正の内容】
【００１４】
請求項３に係る梱包材によれば、突起部が先細りの形状を有しない場合に比較して覆い部材の折り曲げが円滑に行える。
【手続補正１１】
【補正対象書類名】明細書
【補正対象項目名】００１５
【補正方法】変更
【補正の内容】
【００１５】
請求項４に係る梱包材によれば、本構成を有しない場合に比較して緩衝材が覆い部材の固定状態が改善される。
【手続補正１２】
【補正対象書類名】明細書
【補正対象項目名】００１６
【補正方法】変更
【補正の内容】
【００１６】
請求項５に係る梱包材によれば、本構成を有しない場合に比較して梱包箱から被梱包物及び覆い部材を取り出す際に、覆い部材と梱包箱とが接触することを低減できる。
【手続補正１３】
【補正対象書類名】特許請求の範囲
【補正対象項目名】全文
【補正方法】変更
【補正の内容】
【特許請求の範囲】
【請求項１】
上面、４つの側面、及び、底面を有する被梱包物の互いに異なる向きに広がる３つの面にあてがわれ、該被梱包物とともに梱包箱に収納されたときに該被梱包物の３つの面と該梱包箱の３つの内壁との間に配置され、前記梱包箱の３つの内壁それぞれに向けて外向きに突出しそれぞれが前記梱包箱の３つの内壁に接する、３つの突起部を有する複数の緩衝材、および、
前記被梱包物の底面に沿って広がる底板部と、該底板部からそれぞれ折れ曲がり互いに反対側の２つの側面に沿って広がる側板部とからなる本体板と、該本体板から折り曲げられた複数の折曲げ片とを有し、該被梱包物の異なる３面にあてがわれた複数の緩衝材を保持する覆い部材であって、前記緩衝材を保持した状態で、前記緩衝材の３つの突起が入り込む３つの開口と、前記３つの開口それぞれの間に設けられた複数の折り曲げ部とを有する覆い部材を備え、
前記複数の緩衝材のうち底面にあてがわれた緩衝材は、前記開口のうち、前記覆い部材の底板部、側板部、および、側面側に折り曲げられた折曲げ片のそれぞれに形成された開口によって、該底板部、該側板部、および該折曲げ片のそれぞれに保持され、
前記複数の緩衝材のうち上面にあてがわれた緩衝材は、前記開口のうち、前記覆い部材の側板部、および、側面側に折り曲げられた折曲げ片、及び、上面側に折り曲げられた折曲げ片のそれぞれに形成された開口によって、該側板部、および該折曲げ片のそれぞれに保持されることを特徴とする梱包材。
【請求項２】
前記複数の緩衝材のうち底面にあてがわれた緩衝材と上面にあてがわれた緩衝材とは、別々に前記覆い部材に対して着脱可能に保持されることを特徴とする請求項１記載の梱包材。
【請求項３】
前記複数の突起部のそれぞれが、頂部に向かって先細りの形状を有するものであることを特徴とする請求項１または２に記載の梱包材。
【請求項４】
前記覆い部材に設けられた各開口が、該開口に入り込む突起部の根元の寸法よりも小さい寸法を有し、前記補助シートには、該開口に繋がった切り込みが形成されていることを特徴とする請求項１から３いずれか１項に記載の梱包材。
【請求項５】
前記覆い部材が、前記被梱包物の前記２つの側板部それぞれの、前記底板部から離れた側の縁から広がり該被梱包材の上面に折り曲げられた一対の把手を有するものであることを特徴とする請求項１から４いずれか１項に記載の梱包材。